(57)【要約】【課題】  サブフレームの出力階調が異なるコーディングを二つもち、この平均で２５６階調を表示する表示装置では、点灯するサブフレームが同じであるデータがあり、疑似輪郭を避けにくい。【解決手段】  入力画像信号の１フレーム期間を複数のサブフレームに分割し、入力画像信号の入力階調に応じて、必要なサブフレームを選択することで多階調表示を行う表示装置において、互いに入力階調に対する出力階調の特性が異なる２組のサブフレームコーディング用テーブル（選択された最上位サブフレームの桁上がり位置が、両者のテーブルで異なる）を、入力画像信号のフレームと画素の組み合わせを単位として交互に切替使用する。これにより、サブフレーム桁上がりの擬似輪郭の発生し易い場所が、次のフレームで別の場所に移動するようにできる。このため、動画擬似輪郭の発生を抑制できる。【選択図】            図５
2005227413.tif 000002
【特許請求の範囲】
【請求項１】
入力画像信号の１フレーム期間を、互いに異なる輝度重み付けをした複数のサブフレームに分割し、前記入力画像信号の入力階調に応じて、前記複数のサブフレームの中から必要な輝度重み付けの一又は二以上のサブフレームを選択するサブフレームコーディングにより多階調表示を行う表示装置において、
互いに前記入力階調に対する出力階調の特性が異なる２組以上のサブフレームコーディング用テーブルを発生するテーブル発生手段と、
前記テーブル発生手段により発生された前記２組以上のサブフレームコーディング用テーブルを、前記入力画像信号の１フレーム及び画素のうち、いずれか一方又は両方を単位として順次巡回的に切り替え使用して、前記入力画像信号の入力階調に応じた出力階調の画像信号を出力する画像処理手段と
を有し、前記テーブル発生手段は、あるサブフレームコーディング用テーブルにおいて、前記入力階調に応じて選択される最上位のサブフレームが第ｎ−１サブフレーム（ｎは２以上でサブフレーム分割数以下の整数）である出力階調と、選択される最上位のサブフレームが第ｎサブフレームである出力階調とが隣接している位置が、他のサブフレームコーディング用テーブルの前記位置に対応する位置と互いに重ならないように配置された前記２組以上のサブフレームコーディング用テーブルを発生することを特徴とする表示装置。
【請求項２】
入力画像信号の１フレーム期間を、互いに異なる輝度重み付けをした複数のサブフレームに分割し、前記入力画像信号の入力階調に応じて、前記複数のサブフレームの中から必要な輝度重み付けの一又は二以上のサブフレームを選択するサブフレームコーディングにより多階調表示を行う表示装置において、
互いに前記入力階調に対する出力階調の特性が異なる２組のサブフレームコーディング用テーブルを発生するテーブル発生手段と、
前記テーブル発生手段により発生された前記２組のサブフレームコーディング用テーブルを、前記入力画像信号の１フレーム及び画素のうち、いずれか一方又は両方を単位として交互に切り替え使用して、前記入力画像信号の入力階調に応じた出力階調の画像信号を出力する画像処理手段と
を有し、前記テーブル発生手段は、一方のサブフレームコーディング用テーブルにおいて、前記入力階調に応じて選択される最上位のサブフレームが第ｎ−１サブフレーム（ｎは２以上でサブフレーム分割数以下の整数）である出力階調と、選択される最上位のサブフレームが第ｎサブフレームである出力階調とが隣接している位置が、他方のサブフレームコーディング用テーブルにおいて、最上位のサブフレームが前記第ｎ−１サブフレームで連続して選択されている階調区間の中間付近、又は最上位のサブフレームが前記第ｎサブフレームで連続して選択されている階調区間の中間付近に配置されるように、前記２組のサブフレームコーディング用テーブルを発生することを特徴とする表示装置。
【請求項３】
入力画像信号の１フレーム期間を、互いに異なる輝度重み付けをした複数のサブフレームに分割し、前記入力画像信号の入力階調に応じて、前記複数のサブフレームの中から必要な輝度重み付けの一又は二以上のサブフレームを選択するサブフレームコーディングにより多階調表示を行う表示装置において、
互いに前記入力階調に対する出力階調の特性が異なる２組のサブフレームコーディング用テーブルを発生するテーブル発生手段と、
前記テーブル発生手段により発生された前記２組のサブフレームコーディング用テーブルを、前記入力画像信号の１フレーム及び画素のうち、いずれか一方又は両方を単位として交互に切り替え使用して、前記入力画像信号の入力階調に応じた出力階調の画像信号を出力する画像処理手段と
を有し、前記テーブル発生手段は、一方のサブフレームコーディング用テーブルにおいて、前記入力階調に応じて選択される最上位のサブフレームが第ｎ−１サブフレーム（ｎは２以上でサブフレーム分割数以下の整数）である出力階調と、選択される最上位のサブフレームが第ｎサブフレームである出力階調とが隣接している位置が、他方のサブフレームコーディング用テーブルにおいて、最上位のサブフレームが第ｍサブフレーム（ｍはｎ又はｎ−１）で連続して選択されている階調区間で、かつ、第ｋサブフレーム（ｋは１以上でｍ−１以下の整数）が連続して非選択とされている階調区間の中間付近に配置されるように、前記２組のサブフレームコーディング用テーブルを発生することを特徴とする表示装置。
【請求項４】
入力画像信号の１フレーム期間を、互いに異なる輝度重み付けをした複数のサブフレームに分割し、前記入力画像信号の入力階調に応じて、前記複数のサブフレームの中から必要な輝度重み付けの一又は二以上のサブフレームを選択するサブフレームコーディングにより多階調表示を行う表示装置において、
互いに前記入力階調に対する出力階調の特性が異なる２組のサブフレームコーディング用テーブルを発生するテーブル発生手段と、
前記テーブル発生手段により発生された前記２組のサブフレームコーディング用テーブルを、前記入力画像信号の１フレーム及び画素のうち、いずれか一方又は両方を単位として交互に切り替え使用して、前記入力画像信号の入力階調に応じた出力階調の画像信号を出力する画像処理手段と
を有し、前記テーブル発生手段は、一方のサブフレームコーディング用テーブルにおいて、前記入力階調に応じて選択される最上位のサブフレームが第ｎ−１サブフレーム（ｎは２以上でサブフレーム分割数以下の整数）である出力階調と、選択される最上位のサブフレームが第ｎサブフレームである出力階調とが隣接している位置が、他方のサブフレームコーディング用テーブルにおいて、最上位のサブフレームが前記第ｍサブフレーム（ｍはｎ又はｎ−１）で連続して選択されている階調区間で、かつ、第ｋサブフレーム（ｋは１以上でｍ−１以下の整数）が連続して選択されている階調区間の中間付近に配置されるように、前記２組のサブフレームコーディング用テーブルを発生することを特徴とする表示装置。
【請求項５】
前記テーブル発生手段は、１組のサブフレームコーディング用テーブルを線形変換して他のサブフレームコーディング用テーブルを作成することを特徴とする請求項１乃至４のうち、いずれか一項記載の表示装置。
【発明の詳細な説明】
【技術分野】
【０００１】
本発明は表示装置に係り、特に画像信号の１フレーム期間を複数のサブフレームで構成し、そのサブフレームを適宜選択することで多階調表示を行うプラズマディスプレイパネル（以下、ＰＤＰと記す）等の表示装置に関する。
【背景技術】
【０００２】
表示装置の一例としてのＰＤＰでは、動作状態を点灯か非点灯の２値表示として使用するが、中間調を出すために、画像信号の１フレーム期間（１６.７ｍｓ）を点灯時間の異なる複数のサブフレームに分割し、画像信号の階調に応じてこのサブフレームを適宜選択表示し、視覚積分効果を利用して多階調表示を行う。このようなフレーム内時分割駆動表示方法により表示を行う表示装置が従来より知られている（例えば、特許文献１参照）。
【０００３】
図１６は従来の表示装置の一例のブロック図を示す。同図において、表示されるべき画像信号は画像処理回路１に入力され、ここで誤差拡散処理、ディザ生成、逆ガンマ補正等の画像処理が行われる。画像処理回路１により画像処理された画像信号は、サブフレーム対応付け回路２に入力され、ここで対応するＲ（赤）、Ｇ（緑）及びＢ（青）の三原色の各画素が発光すべきサブフレームに変換される。このサブフレームの変換の際に、サブフレーム対応付け回路２は、外部の記憶装置に記憶されたコーディングテーブル４を対応表として用いると共に、このコーディングテーブル４に対応した各サブフレームの輝度を表す点灯回数を、外部の記憶装置に記憶された重み付けテーブル３を用いて決定する。
【０００４】
サブフレーム対応付け回路２で対応付けされた出力信号は、サブフレーム処理回路５に渡される。サブフレーム処理回路５は、入力信号を一時記憶した後、各サブフレームの表示時間毎に読み出して、駆動パルス発生回路６に制御信号を送ると共にアドレス電極駆動回路７に画素データを送る。駆動パルス発生回路６は、アドレス電極駆動回路７で選択された各画素の表示を行うため、Ｘ電極駆動回路８とＹ電極駆動回路９に駆動パルスを供給して維持放電を開始させ、選択された画素をプラズマディスプレイパネル（ＰＤＰ）１０に表示させる。これをサブフレーム毎に連続的に行う。
【０００５】
図１７はサブフレーム法を用いた従来の表示装置において、多階調表示をする場合に使用するサブフレーム構成の一例を示す。同図において、縦軸Ｙ１〜Ｙｎは表示ラインを、横軸は時間軸を表している。同図では、２５６階調（８ビット）を得るために、１フレームを輝度の重み付けが異なる８個のサブフレーム（ＳＦ１〜ＳＦ８）に分割し、８ビットの画像データのＬＳＢ（最下位ビット）からＭＳＢ（最上位ビット）までの各ビットを順番に割り当て、サブフレームを構成している。この例の多階調表示は、１フレームをＭ個のサブフレームに分割して、画像データの階調に基づいたサブフレームを選択し、視覚的な積分効果を利用して、２のＭ乗の階調をＰＤＰ１０に画像表現する方法を採っている。
【０００６】
また、各サブフレームは、リセット期間、アドレス期間、維持放電期間でそれぞれ構成される。アドレス期間では線順次書き込みが行われる。また、図１７において模様を付した維持放電期間の長さがサブフレーム毎に異なっているのは、輝度の重み付けに相当した維持パルス（サスティンパルス）数を印加しているためである。この場合に印加される維持パルス数は、ＬＳＢ側より、１，２，４，８，１６，３２，６４，１２８であり、発光輝度を高くするために更にそのＮ倍（Ｎは自然数）のパルス数を印加している。
【０００７】
サブフレームの数は表示デバイスによって異なるが、ＰＤＰではフレーム時間内のリセット期間、アドレス期間、維持放電期間のデバイス特性により、１０〜１２のサブフレームが用いられることが多い。
【０００８】
このようなサブフレーム法を用いて多階調表示を行う表示装置においては、動画表示中に疑似輪郭が現れることがよく知られている。次に、この動画表示中に現れる疑似輪郭について説明する。
【０００９】
図１８はＰＤＰ上の隣接する画素に階調１２７と１２８が表示されている場合の様子を示したものである。縦方向は画素の階調１２７と１２８、横方向はＰＤＰに表示される時間の経過を示している。模様が付いているサブフレームが画像として選択され点灯する。ここで、サブフレーム数がＳＦ１〜ＳＦ８で示すように全部で８であり、それぞれのサブフレームが１、２、４、８，１６，３２，６４，１２８に重み付けされているとする。
【００１０】
階調１２７の画素では、図１８に示すように、サブフレームＳＦ１、ＳＦ２、ＳＦ３、ＳＦ４、ＳＦ５、ＳＦ６、ＳＦ７が点灯し、これらのサブフレームＳＦ１〜ＳＦ７の重み付けの合計が１２７となり、階調１２７の明るさとなる。一方、階調１２８の画素では、サブフレームＳＦ８だけが点灯し、この重み付けが１２８であり、これが階調１２８の明るさとなる。
【００１１】
静止画がＰＤＰに表示されているとすると、視線は固定されている。そのため、サブフレームの重み付けを積分する期間に視線は隣の画素に移動しないため、画像が正しく認識され、疑似輪郭は発生しない。しかし、動画の場合には、絵の移動に追従して視線が移動するために、目の積分時間内に視線が隣の画素に移動し、本来見えないはずの画像が、目の視覚作用によって積分され認識されることとなる。
【００１２】
例えば、階調１２７の画素と階調１２８の画素とが境界を接し、ＰＤＰ上を横切ったとする。この時、目の積分時間内に視線が隣の画素に移動する速さであるとする。図１８で画像が画面の上方向に移動した場合、Iのラインで目が追従し、そのとき積分されるサブフレームは無いために、目には黒が見える。一方、逆の方向に画像が移動し、IIのラインで目が追従した場合、サブフレームＳＦ１〜ＳＦ８まで積分されるため、階調２５６の重みを持った明るさと認識される。本来、ここでは画像の移動に関わらず階調１２７と階調１２８が画像として出力されなければならないが、白い縞や黒い縞となって目に見える。
【００１３】
これが動画疑似輪郭または動画偽輪郭といわれる現象である。この現象は、サブフレーム内時分割駆動表示方法を採用する表示装置に特有のものであり、特に動画特性を劣化させるので改善が望まれる。
【００１４】
そこで、この対処法として、サブフレームの出力階調が異なるコーディングを二つもち、この平均で２５６階調を表示する表示装置が従来より知られている（例えば、特許文献２参照）。すなわち、この従来の表示装置では、入力画素データの和の平均値がこの画素データの値と同一値となる第１及び第２の値を求め、第１の値を各サブフレームの階調数として割り当てて画素を発光させる発光パターンＡと、第２の値を各サブフレームの階調数として割り当てて画素を発光させる発光パターンＢとを生成して、発光パターンＡによる画素の発光と発光パターンＢによる画素の発光とをフレーム毎に交互に繰り返す構成である。
【００１５】
【特許文献１】特開平７−２７１３２５号公報
【特許文献２】特開２００３−６６８９２号公報
【発明の開示】
【発明が解決しようとする課題】
【００１６】
しかるに、上記の特許文献２記載の従来の表示装置では、発光パターンＡと発光パターンＢとが点灯するサブフレームの数が同一で、点灯するサブフレームも同じであるデータがあり（サブフレームを唯一にしか選べないところがあり）、疑似輪郭を避けにくいという問題がある。
【００１７】
本発明は以上の点に鑑みなされたもので、サブフレーム駆動法における動画疑似輪郭を改善する表示装置を提供することを目的とする。
【課題を解決するための手段】
【００１８】
上記の目的を達成するため、第１の発明の表示装置は、入力画像信号の１フレーム期間を、互いに異なる輝度重み付けをした複数のサブフレームに分割し、入力画像信号の入力階調に応じて、複数のサブフレームの中から必要な輝度重み付けの一又は二以上のサブフレームを選択するサブフレームコーディングにより多階調表示を行う表示装置において、互いに入力階調に対する出力階調の特性が異なる２組以上のサブフレームコーディング用テーブルを発生するテーブル発生手段と、テーブル発生手段により発生された２組以上のサブフレームコーディング用テーブルを、入力画像信号の１フレーム及び画素のうち、いずれか一方又は両方を単位として順次巡回的に切り替え使用して、入力画像信号の入力階調に応じた出力階調の画像信号を出力する画像処理手段とを有し、テーブル発生手段は、あるサブフレームコーディング用テーブルにおいて、入力階調に応じて選択される最上位のサブフレームが第ｎ−１サブフレーム（ｎは２以上でサブフレーム分割数以下の整数）である出力階調と、選択される最上位のサブフレームが第ｎサブフレームである出力階調とが隣接している位置が、他のサブフレームコーディング用テーブルの位置に対応する位置と互いに重ならないように配置された２組以上のサブフレームコーディング用テーブルを発生することを特徴とする。
【００１９】
この発明では、サブフレームコーディングにより多階調表示を行う表示装置において、フレーム毎に又は画素単位に順次巡回的に切り替えて使用する２組以上のサブフレームコーディング用テーブルが、それぞれ入力階調に応じて選択される最上位のサブフレームが第ｎ−１サブフレームである出力階調と、選択される最上位のサブフレームが第ｎサブフレームである出力階調とが隣接している位置が、他のサブフレームコーディング用テーブルの対応する位置と互いに重ならないように配置されているため、上記の最上位のサブフレームが第ｎ−１サブフレームである出力階調と、選択される最上位のサブフレームが第ｎサブフレームである出力階調とが隣接している位置に対応する、画面上の桁上がりの擬似輪郭の発生し易い場所が、次のフレームで別の場所に移動するようにできると共に、時間的に周りの画素に擬似輪郭の位置を分散できる。
【００２０】
また、上記の目的を達成するため、第２の発明は、サブフレームコーディングにより多階調表示を行う表示装置の、互いに入力階調に対する出力階調の特性が異なる２組のサブフレームコーディング用テーブルを発生するテーブル発生手段を、一方のサブフレームコーディング用テーブルにおいて、入力階調に応じて選択される最上位のサブフレームが第ｎ−１サブフレーム（ｎは２以上でサブフレーム分割数以下の整数）である出力階調と、選択される最上位のサブフレームが第ｎサブフレームである出力階調とが隣接している位置が、他方のサブフレームコーディング用テーブルにおいて、最上位のサブフレームが第ｎ−１サブフレームで連続して選択されている階調区間の中間付近、又は最上位のサブフレームが第ｎサブフレームで連続して選択されている階調区間の中間付近に配置されるように、２組のサブフレームコーディング用テーブルを発生する構成としたものである。
【００２１】
また、上記の目的を達成するため、第３の発明は、サブフレームコーディングにより多階調表示を行う表示装置の、互いに入力階調に対する出力階調の特性が異なる２組のサブフレームコーディング用テーブルを発生するテーブル発生手段を、一方のサブフレームコーディング用テーブルにおいて、入力階調に応じて選択される最上位のサブフレームが第ｎ−１サブフレーム（ｎは２以上でサブフレーム分割数以下の整数）である出力階調と、選択される最上位のサブフレームが第ｎサブフレームである出力階調とが隣接している位置が、他方のサブフレームコーディング用テーブルにおいて、最上位のサブフレームが第ｍサブフレーム（ｍはｎ又はｎ−１）で連続して選択されている階調区間で、かつ、第ｋサブフレーム（ｋは１以上でｍ−１以下の整数）が連続して非選択とされている階調区間の中間付近に配置されるように、２組のサブフレームコーディング用テーブルを発生する構成としたものである。
【００２２】
更に、上記の目的を達成するため、第４の発明は、サブフレームコーディングにより多階調表示を行う表示装置の、互いに入力階調に対する出力階調の特性が異なる２組のサブフレームコーディング用テーブルを発生するテーブル発生手段を、一方のサブフレームコーディング用テーブルにおいて、入力階調に応じて選択される最上位のサブフレームが第ｎ−１サブフレーム（ｎは２以上でサブフレーム分割数以下の整数）である出力階調と、選択される最上位のサブフレームが第ｎサブフレームである出力階調とが隣接している位置が、他方のサブフレームコーディング用テーブルにおいて、最上位のサブフレームが第ｍサブフレーム（ｍはｎ又はｎ−１）で連続して選択されている階調区間で、かつ、第ｋサブフレーム（ｋは１以上でｍ−１以下の整数）が連続して選択されている階調区間の中間付近に配置されるように、２組のサブフレームコーディング用テーブルを発生する構成としたものである。
【００２３】
上記の第２乃至第４の発明では、フレーム及び画素のうち、いずれか一方又は両方を単位として交互に切り替えて使用する２組のサブフレームコーディング用テーブルが、それぞれ入力階調に応じて選択される最上位のサブフレームが第ｎ−１サブフレームである出力階調と、選択される最上位のサブフレームが第ｎサブフレームである出力階調とが隣接している位置が、互いに重ならないように配置されるため、選択される最上位のサブフレームが第ｎ−１サブフレームである出力階調と、選択される最上位のサブフレームが第ｎサブフレームである出力階調とが隣接している位置に対応する、画面上の桁上がりの擬似輪郭の発生し易い場所が、次のフレームで別の場所に移動するようにできると共に、時間的に周りの画素に擬似輪郭の位置を分散できる。
【００２４】
ここで、上記のテーブル発生手段は、１組のサブフレームコーディング用テーブルを線形変換して他のサブフレームコーディング用テーブルを作成するようにしてもよい。この発明では、使用される２組又はそれ以上のサブフレームコーディング用テーブルが互いに入力画像信号に対して、表示される画像の関係が一定に保たれる。
【発明の効果】
【００２５】
本発明によれば、画面上のサブフレーム桁上がりの擬似輪郭の発生し易い場所が、次のフレームで別の場所に移動するようにできると共に、時間的に周りの画素に擬似輪郭の位置を分散できるため、表示画像を見る者の視線の移動に伴って擬似輪郭の発生し易い場所が一緒に移動することが無く、動画表示において疑似輪郭の発生を軽減し良好な画像を表示することができる。
【発明を実施するための最良の形態】
【００２６】
次に、本発明になる表示装置を実施するための最良の形態について図面を参照して説明する。図１は本発明になる表示装置の第１及び第２の実施の形態のブロック図を示す。同図中、図１６と同一構成部分には同一符号を付し、その説明を省略する。図１に示す実施の形態は、図１６に示した従来の表示装置に、重み付けテーブル１１と、これに対応したコーディングテーブル１２が追加されている。これによって、本実施の形態ではサブフレームのコーディングと重み付けに対応した組み合わせが、２組存在することとなる。また、サブフレーム対応付け回路１３は、図１６のサブフレーム対応付け回路２と動作が若干異なる。この他の回路構成は従来の表示装置と同じである。以下、本実施の形態のように、コーディングテーブルを２つ有する構成を２重コーディングと呼ぶこととする。
【００２７】
ところで、通常、ＰＤＰによる表示装置が表示する画像の階調は２５６階調であることが多い。この場合の階調表示に必要な最小のサブフレーム数は８であるが、疑似輪郭の問題を避け易くするため、実際は１０〜１２個のサブフレームを用いることが行われる。
【００２８】
＜第１の実施の形態＞
本発明の第１の実施の形態では、上記問題の解決のため、フレーム毎にサブフレームの階調数を変化させる。図２は本発明の第１の実施の形態のサブフレームの構成を示す。図２に示すように、この実施の形態のサブフレーム数はＳＦ１〜ＳＦ１１で示すように１１であり、サブフレームＳＦ１〜ＳＦ１１のそれぞれはリセット期間、アドレス期間、維持放電期間で形成される。維持放電期間は模様を付して示す。リセット期間同士はＳＦ１〜ＳＦ１１において同一であり、また、アドレス期間同士もＳＦ１〜ＳＦ１１で同一であるが、維持放電期間はＳＦ１〜ＳＦ１１で互いに異なる。
【００２９】
画像の明るさは維持放電期間の維持パルス数、すなわち、各サブフレームの重み付けで決定される。サブフレームの重み付けは、図２に示すように、第１サブフレームから第１１サブフレームに向かって、１、２、３、５、８、１３、１８、２６、３９、５７、８３である。また、サブフレームの一部である第１サブフレームＳＦ１〜第６サブフレームＳＦ６の重み付けには、フィボナッチ数列が使用されている。フィボナッチ数列においては、αn+1＝αn＋αn-1の関係がある。なお、本発明で使用するサブフレームの重み付けは、このフィボナッチ数列に限定されるものではない。
【００３０】
図３は本発明における入力信号の階調を変更する方法の一例を示す。同図において、横軸は入力信号の階調、縦軸は出力信号の階調を示す。入力信号が２５６階調であるとき、コーディングａにおいては、出力信号の階調を入力信号と同じ２５６で出力する。コーディングｂにおいては、出力信号の階調を入力信号のそれよりも低い２３０で出力する。これらコーディングａ及びｂは、入力信号の階調対出力信号の階調特性がいずれも線形的に変化する特性である。
【００３１】
次に、本発明における２重コーディングを図４と共に簡単に説明する。図４（Ａ）はサブフレームの重み付けが２のｎ乗である最も基本的なサブフレームコーディングテーブルを示す。ここでは、サブフレーム数はＳＦ１〜ＳＦ５の計５つであり、各サブフレームの重み付けは、ＳＦ１が１、ＳＦ２が２、ＳＦ３が４、ＳＦ４が８、ＳＦ５が１６となるようにしている。図４（Ａ）のテーブルの左端の縦軸は、画像信号から入力される階調を示している。また、図４（Ａ）中の丸印は、ある階調を表示する場合に、そのサブフレームが発光することを意味している。図４（Ａ）のテーブルによるコーディングは、図３にａで示したコーディングと同様に、入力階調と出力階調が同じ線形特性を示す。
【００３２】
例えば、階調が１０である入力画像信号の画像を表示装置に出力する場合、図４（Ａ）のテーブルの階調１０ではＳＦ２とＳＦ４に丸印が付されているので、サブフレームＳＦ２とＳＦ４が選択される。サブフレームＳＦ２とＳＦ４の重み付けは前述したように、また、図４（Ａ）に示すように、２と８であるので、この合計１０が階調として表示装置に出力される。
【００３３】
図４（Ｂ）は図４（Ａ）の各階調を最も低い０から最も高い３１まで低い方から高い方へ順番に選択したときに、選択された階調における選択された最上位サブフレームを包絡線で結んだ図を示す。図４（Ｂ）は横軸が時間方向の経過を示し、縦軸は同図（Ａ）の各階調に対応している。ここでは、時間方向の相対的な経過を分かり易くするために、実際の維持パルス数の発光時間比率をもとに各階調の１フレーム内における相対的な発光時間長を示している。
【００３４】
また、図４（Ｂ）に示されるαは、動画擬似輪郭の最も発生し易い場所として、階調３から階調４に切り替わる場所、階調７から階調８に切り替わる場所、階調１５から階調１６へ切り替わる場所をそれぞれ示している。例えば、図４（Ａ）と比較してみると、階調３から階調４に切り替わるところで、階調３では選択されるサブフレームがＳＦ１とＳＦ２であったが、階調４ではこれらＳＦ１とＳＦ２は非選択となり、サブフレームＳＦ３だけが選択されるので、選択される最上位のサブフレームがＳＦ２からＳＦ３へ切り替わる。
【００３５】
同様に、階調７から階調８に切り替わるところで、階調７では選択されるサブフレームがＳＦ１とＳＦ２とＳＦ３であったが、階調８ではこれらＳＦ１、ＳＦ２及びＳＦ３は非選択となり、サブフレームＳＦ４だけが選択されるので、選択される最上位のサブフレームがＳＦ３からＳＦ４へ切り替わる。更に、同様に、階調１５から階調１６に切り替わるところで、階調１５では選択されるサブフレームがＳＦ１とＳＦ２とＳＦ３とＳＦ４であったが、階調１６ではこれらＳＦ１〜ＳＦ４は非選択となり、サブフレームＳＦ５だけが選択されるので、選択される最上位のサブフレームがＳＦ４からＳＦ５へ切り替わる。
【００３６】
なお、図４では、２のｎ乗の重み付けでサブフレーム数が５の場合について説明したが、これよりもサブフレームの数が多い場合や、サブフレーム数を１０〜１２ぐらいに確保して、各サブフレームの重み付けを異なるようにする方法でも、同様に選択された最上位サブフレームを包絡線で結んだ図において、急峻に変化する場所（桁上がり位置）を動画擬似輪郭の発生し易い場所として評価できる。
【００３７】
次に、本実施の形態の動画擬似輪郭の改善方法の第１の例について説明する。図５は動画擬似輪郭の改善方法の第１の例の説明図で、横軸は表示装置に出力される画像信号のある画素の、選択された最上位のサブフレームの時間方向の経過を表し、縦軸は表示装置に表示される画像信号の階調（入力階調）を示す。図５の最初の１フレームは、図４（Ａ）に示した第１のコーディングテーブルに基づくコーディングａにより、入力階調に応じて選択されたサブフレームの最上位が図４（Ｂ）と同じ変化を示す包絡線を示している。
【００３８】
図５の第２フレームでは、第２のコーディングテーブルに基づくコーディングｂ１により、第１フレームと同じ入力階調に応じてサブフレームが選択されるが、コーディングｂ１により選択されたサブフレームの最上位の桁上がり位置が、コーディングａにより選択されたサブフレームの最上位の桁上がり位置に重ならないように選択される。ここで、動画擬似輪郭を改善する最も効果のある方法の一つとして、コーディングｂ１の選択最上位サブフレームの桁上がり位置を、コーディングａの選択最上位サブフレームが変更されずに連続している階調区間の中間付近にもってくる方法がある。
【００３９】
そこで、図５に示すように、コーディングｂ１ではコーディングａの３１階調を基に表示装置に出力される信号を２１階調に変換している。すなわち、入力画像信号を約０．６６倍にして階調変換し、それをコーディングａの中から抽出したものをコーディングｂ１の出力階調とする。例えば、図５に示すように、コーディングａで入力画像信号が１２階調であったものは、第１フレームではそのまま１２階調で出力されるが、第２フレームでは８（≒１２×０.６６）階調とされ、コーディングａの８階調をコーディングｂ１の出力階調として出力される。実際は、回路規模の縮小と簡単化のためにコーディング変換したテーブルを内部的に持ち、それを随時選択するという方法がとられる。
【００４０】
図５ではコーディングｂ１の出力階調が８で選択最上位サブフレームがＳＦ４に桁上がりする位置が、コーディングａの選択最上位サブフレームＳＦ４が変化せずに連続して選択されている８階調から１６階調の丁度中間に位置している。同様に、コーディングｂ１の階調１６で選択最上位サブフレームがＳＦ５に桁上がりする位置が、コーディングａの選択最上位サブフレームＳＦ５が変化せずに連続して選択されている１６階調から３１階調の丁度中間に位置している。
【００４１】
このような関係にある２つのサブフレームコーディングをフレーム毎に交互に繰り返すことにより、動画擬似輪郭の発生し易い画像の位置を、フレーム毎に表示装置への出力画像の異なる場所に分散でき、結果として動画擬似輪郭を大幅に減少できる。しかも、この方法では、コーディングｂ１は、コーディングａを線形変換して得るようにしているので、入力画像信号に対して表示される画像の関係が一定に保たれ、表示装置で入力階調に対して発光すべき輝度と階調の線形関係が２つのコーディングのそれぞれに成り立つ。このため、人間の目で積分する時間範囲が２フレームでない場合でも（３フレームなど）、２つのコードの関係が一定のため、出力される画像に妨害が発生し難い。
【００４２】
次に、本実施の形態の動画擬似輪郭の改善方法の第２の例について説明する。図６は動画擬似輪郭の改善方法の第２の例の説明図で、横軸は表示装置に出力される画像信号のある画素の、選択された最上位のサブフレームの時間方向の経過を表し、縦軸は表示装置に表示される画像信号の階調（入力階調）を示す。図６の最初の１フレームは、図４（Ａ）に示した第１のコーディングテーブルに基づくコーディングａにより、入力階調に応じて選択されたサブフレームの最上位が図４（Ｂ）と同じ変化を示す包絡線を示している。
【００４３】
図６の第２フレームでは、第２のコーディングテーブルに基づくコーディングｂ２により、第１フレームと同じ入力階調に応じてサブフレームが選択されるが、動画擬似輪郭改善のために、コーディングａにより選択されたサブフレームの最上位の桁上がり位置が、コーディングｂ２により選択されたサブフレームの最上位の桁上がり位置に重ならないように選択される。そのため、ここではコーディングａの選択最上位サブフレームの桁上がり位置に、コーディングｂ２の選択最上位サブフレームが変更されずに連続している階調区間の中間付近にもってくれば、妨害を少なくできる。
【００４４】
そこで、図６に示すように、コーディングｂ２ではコーディングａの３１階調を基に表示装置に出力される信号を２３階調に変換している。すなわち、入力画像信号を約０.７５倍にして階調変換し、それをコーディングａの中から抽出したものをコーディングｂ２の出力階調とする。例えば、図６に示すように、コーディングａで入力画像信号が８階調であったものは、第１フレームではそのまま８階調で出力されるが、第２フレームでは６（≒８×０.７５）階調とされ、コーディングａの６階調をコーディングｂ２の出力階調として出力される。実際は、回路規模の縮小と簡単化のためにコーディング変換したテーブルを内部的に持ち、それを随時選択するという方法がとられる。
【００４５】
図６ではコーディングａの出力階調が８で選択最上位サブフレームがＳＦ４に桁上がりする位置が、コーディングｂ２の選択最上位サブフレームＳＦ３が変化せずに連続して選択されている４階調から８階調の丁度中間に位置している。同様に、コーディングａの階調１６で選択最上位サブフレームがＳＦ５に桁上がりする位置が、コーディングｂ２の選択最上位サブフレームＳＦ４が変化せずに連続して選択されている８階調から１６階調の丁度中間に位置している。
【００４６】
これは、コーディングｂ２の最上位サブフレームが連続して選択されている階調区間の中間付近に、コーディングａの最上位サブフレームが桁上がる階調が挟み込まれるようなコーディングである。このような関係にある２つのサブフレームコーディングをフレーム毎に交互に繰り返すことにより、動画擬似輪郭の発生し易い画像の位置を、フレーム毎に表示装置への出力画像の異なる場所に分散でき、結果として動画擬似輪郭を大幅に減少できる。しかも、この方法では、コーディングｂ２は、コーディングａを線形変換して得るようにしているので、入力画像信号に対して表示される画像の関係が一定に保たれ、第１の例と同様に、表示装置に出力される画像に妨害が発生し難い。
【００４７】
次に、本実施の形態の動画擬似輪郭の改善方法の第３の例について説明する。図７は動画擬似輪郭の改善方法の第３の例の説明図で、横軸は表示装置に出力される画像信号のある画素の、選択された最上位のサブフレームの時間方向の経過を表し、縦軸は表示装置に表示される画像信号の階調（入力階調）を示す。図７の最初の１フレームは、図４（Ａ）に示した第１のコーディングテーブルに基づくコーディングａにより、入力階調に応じて選択されたサブフレームの最上位が図４（Ｂ）と同じ変化を示す包絡線を示している。
【００４８】
図７の第２フレームでは、第２のコーディングテーブルに基づくコーディングｂ３により、第１フレームと同じ入力階調に応じてサブフレームが選択されるが、動画擬似輪郭改善のために、ここではコーディングｂ３の選択最上位サブフレームの桁上がり位置を、コーディングａの選択最上位サブフレームが変更されずに連続している階調区間で、かつ、これに続く第２の上位サブフレームが非点灯の区間の中間付近にもってくるようにしている。これは、コーディングａの選択最上位サブフレームが変更されずに、連続して選択されている階調区間の最初の階調からおよそ４分の１の位置である。
【００４９】
そこで、第３の例では図７に示すように、コーディングｂ３ではコーディングａの３１階調を基に表示装置に出力される信号を２５階調に変換している。すなわち、入力画像信号を約０.８倍にして階調変換し、それをコーディングａの中から抽出したものをコーディングｂ３の出力階調とする。例えば、図７に示すように、コーディングａで入力画像信号が１０階調であったものは、第１フレームではそのまま１０階調で出力されるが、第２フレームでは８（＝１０×０.８）階調とされ、コーディングａの８階調をコーディングｂ３の出力階調として出力される。実際は、回路規模の縮小と簡単化のためにコーディング変換したテーブルを内部的に持ち、それを随時選択するという方法がとられる。
【００５０】
図７ではコーディングｂ３の出力階調が８で選択最上位サブフレームがＳＦ４に桁上がる位置が、コーディングａの選択最上位サブフレームＳＦ４が変化せずに連続して選択されている８階調から１６階調までの階調区間の最初からおよそ４分の１の１０階調に位置している。同様に、コーディングｂ３の出力階調が１６で選択最上位サブフレームがＳＦ５に桁上がる位置が、コーディングａの選択最上位サブフレームＳＦ５が変化せずに連続して選択されている１６階調から３１階調までの階調区間の最初からおよそ４分の１の２０階調に位置している。
【００５１】
これは、コーディングａの最上位サブフレームが連続して選択されている階調区間で、かつ、これに続く第２の上位サブフレームが非点灯の区間の中間付近に、コーディングｂ３の最上位サブフレームが桁上がる階調が挟み込まれるようなコーディングである。このコーディングは、選択される最上位のサブフレームの次に重みの大きいサブフレームも動画擬似輪郭に大きい影響を与える場合に使用し、コーディングｂ３の選択最上位サブフレームの桁上がり位置と、コーディングａの２番目に重み付けの大きいサブフレームの桁上がり位置が重ならないようにしている。
【００５２】
なお、コーディングａの最上位サブフレームが連続して選択されている階調区間で、かつ、これに続く第２の上位サブフレームも選択されている区間の中間付近に、コーディングｂの最上位サブフレームが桁上がる階調が挟み込まれるようなコーディングにしても上記と同様の動画擬似輪郭改善効果が得られる。
【００５３】
また、２つのコーディングテーブル間の階調特性を異ならせるための方法は、上記の例に限らず、例えば、コーディングａの最上位サブフレームが第ｎサブフレーム（ｎはサブフレーム分割数以下の自然数）で変更されずに連続して選択されている階調区間で、かつ、第ｍサブフレーム（ｍは１以上でｎ−１以下の整数）が選択、又は非選択が適度に連続している区間の中間付近に、コーディングｂの最上位フレームが桁上がりする階調が挟み込まれるようなコーディングにしてもよい。
【００５４】
このような関係にある２つのサブフレームのコーディングをフレーム毎に交互に繰り返すことにより、動画擬似輪郭の発生し易い画像の位置を、フレーム毎に表示装置への出力画像の異なる場所に分散でき、結果として動画擬似輪郭を大幅に減少できる。しかも、この方法では、コーディングｂ３は、コーディングａを線形変換して得るようにしているので、入力画像信号に対して表示される画像の関係が一定に保たれ、第１及び第２の例と同様に、表示装置に出力される画像に妨害が発生し難い。
【００５５】
次に、上記の第３の例を基に、サブフレーム数が１１の場合で、各サブフレームの重み付けの比率が小さい方から順番に１、２、３、５、８、１３、１８、２６、３９、５７、８３に並んだ場合を例にとって、図１及び図８〜図１３と共に説明する（ただし、本実施の形態の原理は、サブフレーム数の大小には依存しないので、このサブフレーム数やサブフレームの重み付けに限定されるものではない。）。
【００５６】
図８（Ａ）、図９（Ａ）、図１０（Ａ）、図１１（Ａ）、図１２（Ａ）及び図１３（Ａ）は、入力階調数及び出力階調数がそれぞれ２５６である、図３にａで示すコーディングを実現する第１のテーブルを示す。この図８（Ａ）、図９（Ａ）、図１０（Ａ）、図１１（Ａ）、図１２（Ａ）及び図１３（Ａ）に示す第１のテーブルは、図１のコーディングテーブル４と重み付けテーブル３との組により得られる。
【００５７】
一方、図８（Ｂ）、図９（Ｂ）、図１０（Ｂ）、図１１（Ｂ）、図１２（Ｂ）及び図１３（Ｂ）は、入力階調数が２５６で出力階調数が２３０である、図３にｂで示すコーディングを実現する第２のテーブルを示す。この図８（Ｂ）、図９（Ｂ）、図１０（Ｂ）、図１１（Ｂ）、図１２（Ｂ）及び図１３（Ｂ）に示す第２のテーブルは、図１のコーディングテーブル１２と重み付けテーブル１１との組により得られる。この第２のテーブルは第１のテーブルを線形変換して得られるものである。
【００５８】
また、図８〜図１３に示す第１のテーブルと第２のテーブルにおいて、左端の列は入力画像信号の階調（入力階調）を示し、第２列〜第１２列はコーディングテーブル４、１２で示されるサブフレームＳＦ１〜ＳＦ１１の発光の可否を示し、丸印のあるサブフレームが選択され発光する。また、第２列〜第１２列のサブフレームＳＦ１〜ＳＦ１１の直下の数値は、重み付けテーブル３、１１が示す重み付け値を示す。更に、右端の列（第１３列）は表示装置で表示される画像信号の階調（出力階調）を示す。
【００５９】
例えば、コーディングａを実現する第１のテーブルでは、入力階調が１８のときには図８（Ａ）に示すように、第２、第３、第６のサブフレームＳＦ２、ＳＦ３、ＳＦ６が選択される。これらのサブフレームＳＦ２、ＳＦ３、ＳＦ６の各重み付けは、図８（Ａ）に示すように、２、３、１３であるため、これらの合計の１８階調が出力階調となる。
【００６０】
一方、コーディングｂを実現する第２のテーブルでは、入力階調が上記と同じ１８のときには図８（Ｂ）に示すように、第１、第３、第６のサブフレームＳＦ１、ＳＦ３、ＳＦ６が選択される。これらのサブフレームＳＦ１、ＳＦ３、ＳＦ６の各重み付けは、図８（Ｂ）に示すように、１、３、１３であるため、これらの合計の１７階調が出力階調となる。
【００６１】
更に、コーディングａを実現する第１のテーブルと、コーディングｂを実現する第２のテーブルとの間では、表示階調の最上位サブフレームの桁上がり階調が一致しないように（１出力階調以上異なるように）選択している。例えば、図９（Ａ）の第１のテーブル（コーディングテーブル４、重み付けテーブル３）では、入力画像信号の階調が６５から６６になるところで、丸印の付された選択される最上位のサブフレームがＳＦ８からＳＦ９へ桁上がりしている。
【００６２】
一方、図９（Ｂ）の第２のテーブル（コーディングテーブル１２、重み付けテーブル１１）では、丸印の付された選択される最上位のサブフレームがＳＦ８からＳＦ９へ桁上がりする場所は入力階調が７３から７４の場所であり、第１のテーブルとは異なる。この入力階調が７３から７４の階調区間は、第１のテーブルではＳＦ９が最上位サブフレームとして連続して選択されている階調区間であり、かつ、次に大きな重み付けのサブフレームであるＳＦ８が非選択である階調区間である、入力階調６６から入力階調７８までの階調区間のおよそ中間位置である。
【００６３】
また、図１０（Ａ）の第１のテーブル（コーディングテーブル４、重み付けテーブル３）では、入力画像信号の階調が９４から９５になるところで、丸印の付された選択される最上位のサブフレームがＳＦ９からＳＦ１０へ桁上がりしている。一方、図１０（Ｂ）の第２のテーブル（コーディングテーブル１２、重み付けテーブル１１）では、丸印の付された選択される最上位のサブフレームがＳＦ９からＳＦ１０へ桁上がりする場所は、入力階調が１０５から１０６の場所であり、第１のテーブルとは異なる。
【００６４】
この入力階調が１０５から１０６の階調区間は、第１のテーブルではＳＦ１０が最上位サブフレームとして連続して選択されている階調区間であり、かつ、次に大きな重み付けのサブフレームであるＳＦ９が非選択である階調区間である、入力階調９５から入力階調１１６までの階調区間のおよそ中間位置である。
【００６５】
更に、図１１（Ａ）の第１のテーブル（コーディングテーブル４、重み付けテーブル３）では、入力画像信号の階調が１４２から１４３になるところで、丸印の付された選択される最上位のサブフレームがＳＦ１０からＳＦ１１へ桁上がりしている。一方、図１１（Ｂ）の第２のテーブル（コーディングテーブル１２、重み付けテーブル１１）では、丸印の付された選択される最上位のサブフレームがＳＦ１０からＳＦ１１へ桁上がりする場所は、入力階調が１６０から１６１の場所であり、第１のテーブルとは異なる。
【００６６】
この入力階調が１６１から１６２の階調区間は、第１のテーブルではＳＦ１１が最上位サブフレームとして連続して選択されている階調区間であり、かつ、次に大きな重み付けのサブフレームであるＳＦ１０が非選択である階調区間である、入力階調１４３から入力階調１６９までの階調区間のおよそ中間位置である。
【００６７】
本実施の形態では、図１のサブフレーム対応付け回路１３は、画像処理回路１により画像処理された画像信号に対して、ある１フレーム期間は重み付けテーブル３とそれに対応するコーディングテーブル４との組み合わせからなる第１のテーブルを用いて、２５６階調のサブフレームの対応付けを行い、次の１フレーム期間は重み付けテーブル１１とそれに対応するコーディングテーブル１２との組み合わせからなる第２のテーブルを用いて、２３０階調のサブフレームの対応付けを行うことを、フレーム毎に交互に繰り返す。
【００６８】
ここで、上記のサブフレーム対応付け回路１３は、入力画像信号の１フレーム期間を所定の輝度重み付けをした１１個のサブフレームＳＦ１〜ＳＦ１１に分割し、入力画像信号の各画素の階調に応じて、上記の第１のテーブルの使用時は、図８（Ａ）〜図１３（Ａ）に示したテーブルの中から最適な表示階調を選択し、上記の第２のテーブルの使用時は、図８（Ｂ）〜図１３（Ｂ）に示したテーブルの中から最適な表示階調を選択する。
【００６９】
これにより、サブフレーム対応付け回路１３からは、コーディングａで示す上記の第１のテーブルを使用したときの２５６階調のサブフレームに対応付けされた画像信号と、コーディングｂで示す上記の第２のテーブルを使用したときの２３０階調のサブフレームに対応付けされた画像信号とが、フレーム毎に交互に切り替え出力される。なお、上記のコーディングａ及びｂは、図３に示したコーディングａ及びｂでもある。
【００７０】
なお、図８（Ａ）〜図１３（Ａ）に示した第１のテーブルの重み付けと、図８（Ｂ）〜図１３（Ｂ）に示した第２のテーブルの重み付けとは同じに設定されており、コーディングテーブル３、１２のみを変更することによって、コーディングａの２５６階調とコーディングｂの２３０階調とを実現している。
【００７１】
このように、本実施の形態によれば、フレーム間でコーディングを切り替えるようにしているため、サブフレーム桁上がりの疑似輪郭が発生し易い場所が、次のフレームで別の場所に移動し、そのため視線の移動に伴って疑似輪郭の発生し易い場所が、一緒に移動しない。そして、時間的に周りの画素に疑似輪郭の位置が分散される。このため、動画疑似輪郭の発生を抑制することができる。
＜第２の実施の形態＞
次に、本発明の第２の実施の形態について図面と共に説明する。図１４は本発明の第２の実施の形態における表示パネル内の画素構成とフレーム毎の経過を示す。本実施の形態においては、図１４に示すように、画素をそれぞれＡとＢの２つのグループに分け、千鳥格子状に配列する。例えば、画素Ａの上下左右には画素Ｂが配置され、画素Ｂの上下左右には画素Ａが配置される。
【００７２】
図１５はこのときのフレーム毎の時間経過を示している。画素グループＡは、フレーム毎にコーディングａとコーディングｂとを交互に繰り返す。一方、画素グループＢは、フレーム毎にコーディングｂとコーディングａとを交互に繰り返す。ここでのコーディングａは図１のコーディングテーブル４と重み付けテーブル３との組み合わせの第１のテーブルによるものであり、コーディングｂは図１のコーディングテーブル１２と重み付けテーブル１１との組み合わせの第２のテーブルによるものである。更に、コーディングａとコーディングｂとは、第１の実施の形態で説明した第１の例、第２の例又は第３の例の関係にあるサブフレームのコーディングである。
【００７３】
本実施の形態によれば、第１の実施の形態と同様に、動画疑似輪郭の発生し易い場所をフレーム毎に時間方向に拡散させることができると共に、更に隣接画素方向にも拡散することができる。このため、本実施の形態によれば、動画疑似輪郭を大幅に低減する効果が得られる。
【００７４】
なお、上記のコーディングは２組に限定されるものではなく、コーディングテーブルとそれに対応する重み付けテーブルとは３組以上設けてもよい。この場合、上記画素グループＡと画素グループＢとを巡回的、又はランダムに複数のコーディングテーブルと重み付けテーブルの組み合わせの中から選択し、切替表示することにより、より一層優れた所期の効果を得ることができる。
【００７５】
なお、本発明は以上の実施の形態に限定されるものではなく、例えばコーディングテーブル４及び１２と、重み付けテーブル３及び１１はそれぞれ外部記憶装置に記憶するのではなく、内部的な計算式によりテーブルの値を算出するようにしてもよい。また、以上の実施の形態では図３に示したコーディングａを基にそれを線形変換したコーディングｂを使用したが、選択される最上位サブフレームの桁上がり位置が各コーディング間で異なっているものであれば、これに限定されるものではない。
【００７６】
また、第１の実施の形態で説明した第１の例、第２の例及び第３の例では、コーディングテーブルと重み付けテーブルの組が２組の場合を例に説明したが、選択される最上位サブフレームの桁上がり位置が互いに重ならなければ、コーディングテーブルと重み付けテーブルの組は３組以上あってもよく、これをフレーム毎に巡回的に、又はランダムに切り替えて使用してもよい。
【００７７】
更に、以上の実施の形態ではＰＤＰによる表示装置について説明したが、本発明は、液晶、あるいは有機エレクトロルミネセンス（ＥＬ）を駆動する表示装置に適用することも可能である。また、更に、複数組の重み付けテーブルとそれに対応するコーディングテーブルは、画素単位に切替使用してもよい。
【図面の簡単な説明】
【００７８】
【図１】本発明の第１及び第２の実施の形態のブロック図である。
【図２】本発明の第１及び第２の実施の形態のフレーム構成である。
【図３】入力信号の階調と出力信号の階調との特性の各例を示す図である。
【図４】本発明の第１及び第２の実施の形態で用いる基本サブフレームコーディングのテーブルと、表示階調の最上位サブフレームを結んだ包絡線を示す図である。
【図５】本発明の第１及び第２の実施の形態で用いる２重コーディングの選び方の第１の例の説明図である。
【図６】本発明の第１及び第２の実施の形態で用いる２重コーディングの選び方の第２の例の説明図である。
【図７】本発明の第１及び第２の実施の形態で用いる２重コーディングの選び方の第３の例の説明図である。
【図８】本発明の第１及び第２の実施の形態でコーディングに用いる２つのテーブルの一例（その１）である。
【図９】本発明の第１及び第２の実施の形態でコーディングに用いる２つのテーブルの一例（その２）である。
【図１０】本発明の第１及び第２の実施の形態でコーディングに用いる２つのテーブルの一例（その３）である。
【図１１】本発明の第１及び第２の実施の形態でコーディングに用いる２つのテーブルの一例（その４）である。
【図１２】本発明の第１及び第２の実施の形態でコーディングに用いる２つのテーブルの一例（その５）である。
【図１３】本発明の第１及び第２の実施の形態でコーディングに用いる２つのテーブルの一例（その６）である。
【図１４】本発明の第２の実施の形態を説明するための表示パネル上の画素配列を示す図である。
【図１５】本発明の第２の実施の形態を説明するための各画素のフレーム構成を示す図である。
【図１６】従来の表示装置の一例のブロック図である。
【図１７】従来の表示装置のサブフレーム構成の一例を示す図である。
【図１８】従来の表示装置によるサブフレーム駆動法で発生する疑似輪郭の原理を示す図である。
【符号の説明】
【００７９】
１  画像処理回路
２、１３  サブフレーム対応付け回路
３、１１  重み付けテーブル
４、１２  コーディングテーブル
５  サブフレーム処理回路
６  駆動パルス発生回路
７  アドレス電極駆動回路
８  Ｘ電極駆動回路
９  Ｙ電極駆動回路
１０  プラズマディスプレイパネル（ＰＤＰ）
【図１】
2005227413.tif 000003
【図２】
2005227413.tif 000004
【図３】
2005227413.tif 000005
【図４】
2005227413.tif 000006
【図５】
2005227413.tif 000007
【図６】
2005227413.tif 000008
【図７】
2005227413.tif 000009
【図８】
2005227413.tif 000010
【図９】
2005227413.tif 000011
【図１０】
2005227413.tif 000012
【図１１】
2005227413.tif 000013
【図１２】
2005227413.tif 000014
【図１３】
2005227413.tif 000015
【図１４】
2005227413.tif 000016
【図１５】
2005227413.tif 000017
【図１６】
2005227413.tif 000018
【図１７】
2005227413.tif 000019
【図１８】
2005227413.tif 000020